(57)【要約】【課題】本発明は、回路設計が簡単であるリセット回路及び電子デバイスを提供する。【解決手段】本発明に係るリセット回路は、プロセッサチップに接続される。前記リセット回路は、外部制御信号を受信し、且つ該外部制御信号に応答してイネーブル信号を出力する制御部と、前記制御部に電力を供給するスタンバイ電源と、前記イネーブル信号に応答して外部電圧を前記プロセッサチップに供給するための動作電圧に変換し、且つ前記プロセッサチップをリセットするためのリセット信号を生成する電圧変換部と、を備える。【選択図】図１
2014116000.tif 000002
【特許請求の範囲】
【請求項１】
プロセッサチップに接続されるリセット回路において、
外部制御信号を受信し、且つ該外部制御信号に応答してイネーブル信号を出力する制御部と、
前記制御部に電力を供給するスタンバイ電源と、
前記イネーブル信号に応答して外部電圧を前記プロセッサチップに供給するための動作電圧に変換し、且つ前記プロセッサチップをリセットするためのリセット信号を生成する電圧変換部と、
を備えることを特徴とするリセット回路。
【請求項２】
前記電圧変換部は、閾値電圧と前記動作電圧とを比較し、動作電圧が閾値電圧より低い場合、前記プロセッサチップにリセット信号を出力せず、動作電圧が閾値電圧より高いか又は閾値電圧と等しい場合、前記プロセッサチップにリセット信号を出力することを特徴とする請求項１に記載のリセット回路。
【請求項３】
前記電圧変換部は、リセット信号を出力し、且つプロセッサチップに接続されたリセット端子を備え、
前記リセット信号は、高電圧信号であり、
前記電圧変換部は、閾値電圧と前記動作電圧とを比較し、動作電圧が閾値電圧より低い場合、前記電圧変換部のリセット端子はリセット信号でない低電圧信号を出力し、動作電圧が閾値電圧より高いか又は閾値電圧と等しい場合、前記電圧変換部のリセット端子はリセット信号である高電圧信号を出力することを特徴とする請求項１に記載のリセット回路。
【請求項４】
プロセッサチップと、前記プロセッサチップに接続されるリセット回路とを備える電子デバイスにおいて、
前記リセット回路は、
外部制御信号を受信し、且つ該外部制御信号に応答してイネーブル信号を出力する制御部と、
前記制御部に電力を供給するスタンバイ電源と、
前記イネーブル信号に応答して外部電圧を前記プロセッサチップに供給するための動作電圧に変換し、且つ前記プロセッサチップをリセットするためのリセット信号を生成する電圧変換部と、
を備えることを特徴とする電子デバイス。
【請求項５】
前記電子デバイスは、電圧変換器及び負荷をさらに備え、
前記リセット信号は、前記電圧変換器に出力され、且つ前記電圧変換器のイネーブル信号となり、
前記電圧変換器は、前記リセット信号に応答して外部電圧を前記負荷に供給する供給電圧に変換することを特徴とする請求項４に記載の電子デバイス。
【発明の詳細な説明】
【技術分野】
【０００１】
本発明は、リセット回路及び電子デバイスに関するものである。
【背景技術】
【０００２】
プロセッサチップをリセットするために、従来の回路は、一般的に、電源回路及びリセットチップを含む。電源回路は、プロセッサチップに電力を供給し、リセットチップは、このプロセッサチップにリセット信号を出力し、プロセッサチップは、該リセット信号に基づいてリセットする。これにより、プロセッサチップの正常な動作を確保することができる。
【０００３】
しかし、従来の回路は、プロセッサチップをリセットするためにリセットチップを設置しなければならないため、回路設計が複雑である。
【発明の概要】
【発明が解決しようとする課題】
【０００４】
前記課題を解決するために、本発明は、回路設計が簡単であるリセット回路及び電子デバイスを提供する。
【課題を解決するための手段】
【０００５】
本発明に係るリセット回路は、プロセッサチップと接続される。前記リセット回路は、外部制御信号を受信し、且つ該外部制御信号に応答してイネーブル信号を出力する制御部と、前記制御部に電力を供給するスタンバイ電源と、前記イネーブル信号に応答して外部電圧を前記プロセッサチップに供給するための動作電圧に変換し、且つ前記プロセッサチップをリセットするためのリセット信号を生成する電圧変換部と、を備える。
【０００６】
本発明に係る電子デバイスは、プロセッサチップと、前記プロセッサチップに接続されるリセット回路とを備える。前記リセット回路は、外部制御信号を受信し、且つ該外部制御信号に応答してイネーブル信号を出力する制御部と、前記制御部に電力を供給するスタンバイ電源と、前記イネーブル信号に応答して外部電圧を前記プロセッサチップに供給するための動作電圧に変換し、且つ前記プロセッサチップをリセットするためのリセット信号を生成する電圧変換部と、を備える。
【発明の効果】
【０００７】
従来の技術と比べて、本発明のリセット回路及び電子デバイスにおいて、プロセッサチップは、電圧変換部によって出力されたリセット信号に基づいてリセットされるため、リセット信号を提供するリセットチップを別に設置する必要がなく、回路設計が簡単である。
【図面の簡単な説明】
【０００８】
【図１】本発明の実施形態に係る電子デバイスのブロック図である。
【発明を実施するための形態】
【０００９】
以下、図面を参照して、本発明の実施形態について説明する。
【００１０】
図１を参照すると、本発明の実施形態に係る電子デバイス９００は、リセット回路１００、プロセッサチップ２００、電圧変換器２０、負荷３０及びボタン４０を備える。リセット回路１００は、ボタン４０、プロセッサチップ２００及び電圧変換器２０と電気的に接続される。負荷３０は、電圧変換器２０に電気的に接続される。また、リセット回路１００は、スタンバイ電源１０、制御部１２及び電圧変換部１４を備え、スタンバイ電源１０は、制御部１２に電力を供給する。
【００１１】
制御部１２は、外部制御信号を受信し、且つ該外部制御信号に応答して電圧変換部１４にイネーブル信号を出力する。本実施形態において、制御部１２は、ボタン４０と電気的に接続され、ボタン４０が押されることによって生成された外部制御信号を受信する。別の実施形態において、制御部１２は、リモコン５０によって生成された外部制御信号を受信することができる。
【００１２】
電圧変換部１４は、制御部１２からのイネーブル信号に応答して外部電圧を動作電圧に変換し、且つリセット信号を生成する。前記動作電圧は、プロセッサチップ２００に供給され、リセット信号は、プロセッサチップ２００のリセットを行う。本実施形態において、電圧変換部１４は、ＤＣ／ＤＣ電圧変換器であり、プロセッサチップ２００にリセット信号を連続して出力する。これにより、プロセッサチップ２００は、この連続して出力されたリセット信号によってリセットが完了すると、前記リセット信号の受信を停止する。故に、リセット完了後のプロセッサチップ２００は、正常に動作することができる。
【００１３】
具体的には、電圧変換部１４は、閾値電圧と前記動作電圧とを比較し、動作電圧が閾値電圧より低い場合、プロセッサチップ２００に対してリセット信号を出力しない。また、動作電圧が閾値電圧より高いか又は閾値電圧に等しい場合、プロセッサチップ２００に対してリセット信号を出力する。これにより、低電圧が供給される状況下で、プロセッサチップ２００がリセットされることを防止し、プロセッサチップ２００の低電圧保護を実現することができる。
【００１４】
本実施形態において、電圧変換部１４は、リセット信号を出力するために用いられ、更に、プロセッサチップ２００に接続されたリセット端子１４０を備える。前記リセット信号は、高電圧信号である。動作電圧が閾値電圧より低い場合、電圧変換部１４のリセット端子１４０は、リセット信号でない低電圧信号を出力し、動作電圧が閾値電圧より高いか又は閾値電圧と等しい場合、電圧変換部１４のリセット端子１４０は、リセット信号である高電圧信号を出力する。
【００１５】
前記リセット信号は、電圧変換器２０に出力され、且つ電圧変換器２０のイネーブル信号となる。電圧変換器２０は、前記リセット信号に応答して外部電圧を負荷３０に供給する供給電圧に変換する。これにより、負荷３０の正常な動作を確保することができる。一実施形態において、プロセッサチップ２００は、テレビ信号処理チップであり、負荷３０は、ディスプレイ、スピーカー等である。
【００１６】
本発明のリセット回路１００及び電子デバイス９００において、プロセッサチップ２００は、電圧変換部１４によって出力されたリセット信号に基づいてリセットされる。従来の技術と比べ、本発明のリセット回路１００及び電子デバイス９００は、リセット信号を提供するリセットチップを別に設置する必要がないため、回路設計が簡単である。
【符号の説明】
【００１７】
９００  電子デバイス
１００  リセット回路
２００  プロセッサチップ
１０  スタンバイ電源
１２  制御部
１４  電圧変換部
１４０  リセット端子
２０  電圧変換器
３０  負荷
４０  ボタン
５０  リモコン
【図１】
2014116000.tif 000003